(57)【要約】【課題】幅の異なるロール状に巻かれた記録紙に対応しているプリンタ装置を提供する。【解決手段】貫通孔を有する第一及び第二のシートホルダと、前記第一のシートホルダの貫通孔と前記第二のシートホルダの貫通孔に入れられ、前記第一のシートホルダと前記第二のシートホルダとを接続する連結シャフトと、を備え、前記連結シャフトには、互いに異なる方向に向かうらせん溝が各々形成されており、前記第一のシートホルダの貫通孔には、前記連結シャフトの一方のらせん溝に入る突起が設けられており、前記第二のシートホルダの貫通孔には、前記連結シャフトの他方のらせん溝に入る突起が設けられており、前記連結シャフトを回転させることによって、及び又は、前記第一及び第二のシートホルダを前記連結シャフトの回転軸方向と平行に動かすことによって、前記第一のシートホルダと、前記第二のシートホルダとの間の距離を変えることを特徴とするプリンタ装置により上記課題を解決する。【選択図】  図１４
2020164296.tif 000002
【特許請求の範囲】
【請求項１】
貫通孔を有する第一及び第二のシートホルダと、
前記第一のシートホルダの貫通孔と前記第二のシートホルダの貫通孔に入れられ、前記第一のシートホルダと前記第二のシートホルダとを接続する連結シャフトと、
を備え、
前記連結シャフトには、互いに異なる方向に向かうらせん溝が各々形成されており、
前記第一のシートホルダの貫通孔には、前記連結シャフトの一方のらせん溝に入る突起が設けられており、前記第二のシートホルダの貫通孔には、前記連結シャフトの他方のらせん溝に入る突起が設けられており、
前記連結シャフトを回転させることによって、及び又は、前記第一及び第二のシートホルダを前記連結シャフトの回転軸方向と平行に動かすことによって、前記第一のシートホルダと、前記第二のシートホルダとの間の距離を変えることを特徴とするプリンタ装置。
【請求項２】
第一の貫通孔を有する第一のシートホルダと、
第二の貫通孔を有する第二のシートホルダと、
前記第一の貫通孔と前記第二の貫通孔に入れられ、前記第一のシートホルダと前記第二のシートホルダとを接続する連結シャフトと、
を備え、
前記連結シャフトには、互いに巻きの方向が異なる２つのらせん溝が各々形成されており、
前記第一の貫通孔には、前記連結シャフトの一方のらせん溝に入る突起が設けられており、前記第二の貫通孔には、前記連結シャフトの他方のらせん溝に入る突起が設けられており、
前記連結シャフトに設けられたギアと、
前記ギアと噛み合う中間ギアと、
前記中間ギアと噛み合うギア部を有するノブと、
を有し、
前記ノブの回転により前記連結シャフトが回転し、前記第一のシートホルダと、前記第二のシートホルダとの間の距離を変えることを特徴とするプリンタ装置。
【請求項３】
前記ノブの回転を止めた状態で固定する係止部が設けられていることを特徴とする請求項２に記載のプリンタ装置。
【請求項４】
前記第一あるいは第二のシートホルダの一方には、前記中間ギア及び前記ノブが回転可能に取り付けられている保持板が設けられており、
前記係止部は、前記保持板に回動可能に取り付けられていることを特徴とする請求項３に記載のプリンタ装置。
【請求項５】
プリンタ本体部と、
前記プリンタ本体部に回動可能な状態で取り付けられた蓋と、
を有し、
前記一方のシートホルダ、前記他方のシートホルダ、及び、前記連結シャフトは、前記プリンタ本体部の内部に設けられており、
前記蓋の内側には、前記係止部が設けられていることを特徴とする請求項３に記載のプリンタ装置。
【請求項６】
前記連結シャフトは複数設けられていることを特徴とする請求項１から５のいずれか一項に記載のプリンタ装置。
【請求項７】
前記連結シャフトの前記らせん溝の底面と側面とのなす角が鈍角となるように形成されていることを特徴とする請求項１から６のいずれか一項に記載のプリンタ装置。
【発明の詳細な説明】
【技術分野】
【０００１】
本発明は、プリンタ装置に関する。
【背景技術】
【０００２】
プリンタは、商店等のレジスタや持ち運びが可能なモバイル型のレシート発行装置等の用途に幅広く用いられている。プリンタ装置には、プリンタ本体部と、プリンタ本体部に回動可能な状態で支持された蓋部が設けられたものがあり、蓋部を開くことにより記録紙ホルダにロール状の記録紙を入れることができる。
【先行技術文献】
【特許文献】
【０００３】
【特許文献１】特開２０１７−１３９４５号公報
【特許文献２】特開２０００−３０２２９９号公報
【特許文献３】実開昭６０−１８６４４３号公報
【特許文献４】特開平１１−１３９６３８号公報
【特許文献５】特開２００６−０３６５１５号公報
【発明の概要】
【発明が解決しようとする課題】
【０００４】
ところで、プリンタ装置に用いられるロール紙には様々な幅のものがあり、一つのプリンタ装置で様々な幅の記録紙に印刷をすることができれば、プリンタ装置としての汎用性が向上する。
【０００５】
よって、幅の異なる記録紙に対応するプリンタ装置が求められている。
【課題を解決するための手段】
【０００６】
本実施の形態の一観点によれば、貫通孔を有する第一及び第二のシートホルダと、前記第一のシートホルダの貫通孔と前記第二のシートホルダの貫通孔に入れられ、前記第一のシートホルダと前記第二のシートホルダとを接続する連結シャフトと、を備え、前記連結シャフトには、互いに異なる方向に向かうらせん溝が各々形成されており、前記第一のシートホルダの貫通孔には、前記連結シャフトの一方のらせん溝に入る突起が設けられており、前記第二のシートホルダの貫通孔には、前記連結シャフトの他方のらせん溝に入る突起が設けられており、前記連結シャフトを回転させることによって、及び又は、前記第一及び第二のシートホルダを前記連結シャフトの回転軸方向と平行に動かすことによって、前記第一のシートホルダと、前記第二のシートホルダとの間の距離を変えることを特徴とする。
【発明の効果】
【０００７】
本発明によれば、幅の異なる記録紙に対応するプリンタ装置を提供することができる。
【図面の簡単な説明】
【０００８】
【図１】第１の実施の形態のプリンタ装置の斜視図（１）
【図２】第１の実施の形態のプリンタ装置の斜視図（２）
【図３】第１の実施の形態のプリンタ装置の説明図（１）
【図４】第１の実施の形態のプリンタ装置の説明図（２）
【図５】第１の実施の形態のプリンタ装置の説明図（３）
【図６】第１の実施の形態のプリンタ装置の説明図（４）
【図７】第１の実施の形態のプリンタ装置の説明図（５）
【図８】第１の実施の形態のプリンタ装置の説明図（６）
【図９】第１の実施の形態のプリンタ装置の説明図（７）
【図１０】第１の実施の形態のプリンタ装置の説明図（８）
【図１１】第１の実施の形態のプリンタ装置の説明図（９）
【図１２】第１の実施の形態のプリンタ装置の説明図（１０）
【図１３】第１の実施の形態のプリンタ装置の説明図（１１）
【図１４】第１の実施の形態のプリンタ装置の説明図（１２）
【図１５】第１の実施の形態のプリンタ装置の説明図（１３）
【図１６】第１の実施の形態のプリンタ装置の説明図（１４）
【図１７】第１の実施の形態のプリンタ装置の説明図（１５）
【図１８】第１の実施の形態のプリンタ装置の説明図（１６）
【図１９】第１の実施の形態のプリンタ装置の説明図（１７）
【図２０】第１の実施の形態のプリンタ装置の説明図（１８）
【図２１】第１の実施の形態のプリンタ装置の説明図（１９）
【図２２】第１の実施の形態のプリンタ装置の変形例１の説明図（１）
【図２３】第１の実施の形態のプリンタ装置の変形例１の説明図（２）
【図２４】第１の実施の形態のプリンタ装置の変形例２の説明図
【図２５】第１の実施の形態のプリンタ装置の変形例３の説明図（１）
【図２６】第１の実施の形態のプリンタ装置の変形例３の説明図（２）
【図２７】第１の実施の形態のプリンタ装置の変形例４の説明図（１）
【図２８】第１の実施の形態のプリンタ装置の変形例４の説明図（２）
【図２９】第１の実施の形態のプリンタ装置の変形例５の説明図（１）
【図３０】第１の実施の形態のプリンタ装置の変形例５の説明図（２）
【図３１】第１の実施の形態のプリンタ装置の変形例６の説明図
【図３２】第１の実施の形態のプリンタ装置の変形例７の説明図（１）
【図３３】第１の実施の形態のプリンタ装置の変形例７の説明図（２）
【図３４】第１の実施の形態のプリンタ装置の変形例７の説明図（３）
【図３５】第１の実施の形態のプリンタ装置の変形例７の説明図（４）
【図３６】第１の実施の形態のプリンタ装置の変形例７の説明図（５）
【図３７】第１の実施の形態のプリンタ装置の変形例７の説明図（６）
【図３８】第２の実施の形態のプリンタ装置の説明図（１）
【図３９】第２の実施の形態のプリンタ装置の説明図（２）
【図４０】第２の実施の形態のプリンタ装置の説明図（３）
【図４１】第２の実施の形態のプリンタ装置の変形例の説明図
【図４２】第３の実施の形態のプリンタ装置の説明図
【図４３】第３の実施の形態のプリンタ装置の変形例１の説明図
【図４４】第３の実施の形態のプリンタ装置の変形例２の説明図
【図４５】第４の実施の形態のプリンタ装置の説明図（１）
【図４６】第４の実施の形態のプリンタ装置の説明図（２）
【図４７】第４の実施の形態のプリンタ装置の説明図（３）
【図４８】第４の実施の形態のプリンタ装置の説明図（４）
【図４９】第４の実施の形態のプリンタ装置の説明図（５）
【発明を実施するための形態】
【０００９】
本発明を実施するための形態について、以下に説明する。尚、同じ部材等については、同一の符号を付して説明を省略する。
【００１０】
プリンタ装置において、幅の異なるロール状の記録紙を用いる場合について説明する。例えば、４インチ幅のロール紙を記録紙の設置領域に設置できるプリンタ装置では、幅が４インチよりも狭い、３インチ幅や２インチ幅の記録紙を設置領域に入れて印刷をすることは不可能ではない。
【００１１】
しかしながら、４インチ幅の記録紙に対応した設置領域に幅の狭い記録紙を入れた場合、記録紙が設置領域内で幅方向に移動してしまうため、記録紙の位置決めが必要となる。一方、記録紙の幅方向の中心と印刷ヘッドの中心とがずれると印刷不良等が発生する場合があるため、記録紙の幅方向の中心と印刷ヘッドの中心とが一致するように、位置決め部材により記録紙を位置決めすることが好ましい。
【００１２】
（プリンタ装置）
本実施の形態のプリンタ装置について、図１から図５に基づき説明する。図１は本実施の形態のプリンタ装置に記録紙１００を入れる前の状態の斜視図であり、図２は記録紙１００を入れた状態の斜視図である。
【００１３】
本実施の形態のプリンタ装置は、プリンタの本体１０と、本体１０に回動可能に接続されている蓋２０とを有している。蓋２０の内側にはプラテンローラ４０が取り付けられており、本体１０の内部にはサーマルヘッド等の印刷ヘッド３０が取り付けられている。本実施の形態のプリンタ装置は、蓋２０を開いて本体１０に記録紙１００を設置することができる。図２に示される記録紙１００は、例えば幅が１１４ｍｍの４インチ幅の記録紙である。
【００１４】
プリンタ装置に記録紙１００を設置し、蓋２０を閉じることにより、記録紙１００の端部はプラテンローラ４０と印刷ヘッド３０との間に挟まれた状態となり、不図示のモータによりプラテンローラ４０を回転させることにより、記録紙１００を搬送しながら記録紙１００に印刷をすることができる。
【００１５】
本体１０には、左右にシートホルダ５１、５２が設けられており、２つのシートホルダ５１及び５２の間に記録紙が挟まれる。各シートホルダ５１、５２には、記録紙１００を支持するホルダ５１ａ及び５２ａと、記録紙１００の幅方向を規定するガイド５１ｂ及び５２ｂとを備える。
【００１６】
図３はシートホルダ５１、５２の上面図であり、図４は斜視図である。図３及び図４に示すように、２つのシートホルダ５１、５２は、連結シャフト５３により接続されている。シートホルダ５１とシートホルダ５２とは、ガイド５１ｂとガイド５２ｂとが対向した状態で略平行となるように連結シャフト５３により接続されている。
【００１７】
幅の広いロール状の記録紙１００を設置する際には、図３及び図４に示すように連結シャフト５３により接続されているシートホルダ５１とシートホルダ５２との間を広げ、ホルダ５１ａ及びホルダ５２ａの上に記録紙を設置する。記録紙１００の両端は、ガイド５１ｂ及びガイド５２ｂによりガイドされる。
【００１８】
図６は互いに近づいた状態のシートホルダ５１とシートホルダとの上面図であり、図７は斜視図である。幅の狭い記録紙１０１を設置する際には、図６及び図７に示すようにシートホルダ５１とシートホルダ５２とを近づけ、ホルダ５１ａ及びホルダ５２ａの上に記録紙１０１を設置する。記録紙１０１の両端は、ガイド５１ｂ及びガイド５２ｂによりガイドされる。
【００１９】
本実施の形態においては、図８に示すように、連結シャフト５３の左側及び右側にはらせん状の溝５３ａ、５３ｂが各々形成されている。連結シャフト５３は、直径が約６ｍｍの長細い円柱状であり、溝５３ａ、５３ｂは連結シャフト５３の回転軸５３ｅに対して、３０°以上、６０°以下の角度となるように形成されている。溝５３ａ、５３ｂの深さは約１ｍｍ、幅は２〜３ｍｍである。また、連結シャフト５３の両端の端部５３ｃ、５３ｄの直径は約４ｍｍとなっている。
【００２０】
本実施の形態においては、溝５３ａのらせんの巻き方向と溝５３ｂの巻き方向は逆方向であるが、回転軸５３ｅに対する溝５３ａと５３ｂとの傾きは同じ角度である。従って、連結シャフト５３を回転させると、シートホルダ５１とシートホルダ５２が互いに逆方向に動く。連結シャフト５３を一方向に回転させるとシートホルダ５１とシートホルダ５２とが同じ距離だけ近づき幅を狭めることができ、他方向に回転させるとシートホルダ５１とシートホルダ５２とが同じ距離だけ離れ幅を広げることができる。これにより、記録紙の幅が変わっても、記録紙の幅方向の中心位置は同じ位置となる。
【００２１】
図９はシートホルダ５２の側面図である。図９に示すように、シートホルダ５２には連結シャフト５３が入る貫通孔５２ｃが形成されている。貫通孔５２ｃには貫通孔５２ｃの中心に向けて凸となる突起５２ｄが設けられている。シートホルダ５１にも同様に突起を備えた貫通孔が形成される。
【００２２】
シートホルダ５２に連結シャフト５３を取り付ける際には、貫通孔５２ｃに図１０に示すように連結シャフト５３を入れる。この際、溝５３ｂに突起５２ｄが入る。連結シャフト５３を回転させると、溝５３ｂに沿って突起５２ｄが移動するため、シートホルダ５２も連結シャフト５３の軸方向に移動する。また、連結シャフト５３の軸方向にシートホルダ５２を動かすと、溝５３ｂに入った突起５２ｄの移動に応じて連結シャフト５３が回転する。シートホルダ５１と溝５３ａとの関係についても同様である。
【００２３】
よって、図３及び図４に示すシートホルダ５１とシートホルダ５２との間が広い状態から矢印Ａ方向に連結シャフト５３を回転させることにより、図６及び図７に示す、シートホルダ５１とシートホルダ５２との間が狭い状態にすることができる。また、図６及び図７に示す状態から矢印Ａとは逆の矢印Ｂ方向に連結シャフト５３を回転させることにより、図３及び図４に示す状態にすることができる。
【００２４】
図１１及び図１２は、シートホルダ５１、シートホルダ５２及び連結シャフト５３が本体１０に設置された状態を示す。図１１及び図１２では、本体１０の一部を便宜上透過している。本体１０の底板１１には、連結シャフト５３を支持する支持部１２が設けられている。支持部１２は、端部５３ｄの形状に対応した形状の開口部を有しており、支持部１２の開口部に端部５３ｄが回転可能に支持されている。連結シャフト５３を回転させるか、シートホルダ５１やシートホルダ５２を連結シャフト５３の回転軸方向に動かすことにより、図１１に示すようにシートホルダ５１とシートホルダ５２との間を広げて幅の広い記録紙に対応させることや、図１２に示すようにシートホルダ５１とシートホルダ５２との間を狭くして幅の狭い記録紙に対応させることができる。
【００２５】
図１３に示す例では、シートホルダ５１及びシートホルダ５２の側に凸となる突起部１４が底板１３に設けられている。突起部１４は連結シャフト５３と平行に連続して形成されている。一方、シートホルダ５１及びシートホルダ５２には、突起部１４の形状に対応した形状の開口部が設けられている。シートホルダ５１及びシートホルダ５２の開口部に突起部１４が入り、シートホルダ５１及びシートホルダ５２を連結シャフト５３と平行に移動させることができる。尚、図１３の例では、シートホルダ５１及びシートホルダ５２は突起部１４により支持されているため、底板１３には連結シャフト５３を支持する支持部等を設けなくてもよい。この場合も、連結シャフト５３の回転等により、図１３に示すようにシートホルダ５１とシートホルダ５２との間を広げ、またシートホルダ５１とシートホルダ５２との間を狭くすることができる。
【００２６】
図１４はノブ５７を有するシートホルダの斜視図であり、図１５は側面図である。図１４〜図１５に示す例では、シートホルダ５２の外側に、連結シャフト５３を操作するためのノブ５７が設けられている。ガイド５２ｂの外側には、中間ギア５６及びノブ５７が回転可能に取り付けられる保持板５４が設けられている。図１６に示すように、ノブ５７は、同じ回転軸で接続された、外周に凹凸が形成されたノブ部５７ａとギア部５７ｂとを有する。ノブ部５７ａの径はギア部５７ｂよりも大きい。図１６（ａ）はノブ５７の上面図であり、図１６（ｂ）は側面図である。
【００２７】
また、図１７に示す連結シャフト５３の端部にはギア５５が取り付けられている。図１５に示すように、ギア５５と中間ギア５６とが噛み合い、中間ギア５６とギア部５７ｂとが噛み合う。ノブ部５７ａを回転させることによりギア部５７ｂが回転し、中間ギア５６、ギア５５を介して連結シャフト５３が回転する。これにより、シートホルダ５１とシートホルダ５２との間隔を変更することができる。尚、図１８に示すように、保持板５４に取り付けられているノブ５７等を覆うギアカバー５８を取り付けてもよい。
【００２８】
図１９では、シートホルダ５１、シートホルダ５２、連結シャフト５３、ノブ５７は本体１０の内部に取り付けられる。ノブ５７は蓋２０が開いている状態で露出しているため、記録紙１００を設置した後であっても、ノブ５７を操作してシートホルダ５１とシートホルダ５２との間隔を調整することができる。
【００２９】
ノブ５７が不意に回転してしまうと、シートホルダ５１及びシートホルダ５２が動き、シートホルダ５１とシートホルダ５２との間隔が所望の間隔よりも広くなったり狭くなったりするおそれがある。本実施の形態では、ノブ５７の回転を防ぐため、保持板５４には、図２０に示すように係止部材６１が回動軸６１ａを中心に回動可能に取り付けられている。係止部材６１には、ギア部５７ｂの歯に対応した形状の凹凸を有する係止部６１ｃが設けられている。操作部６１ｂを操作して回動軸６１ａを中心に係止部材６１を回動させ、係止部６１ｃの凹凸をギア部５７ｂの歯に入れることで、ノブ５７の回転を防ぐことができる。尚、図２０においてノブ部５７ａの一部は透過している。
【００３０】
図２１に示す例では、ノブ部５７ａを固定する係止部材６２が回動軸６２ａを中心に回動可能に保持板５４に取り付けられている。係止部材６２には、ノブ部５７ａの凹凸に対応した形状の凹凸を有する係止部６２ｃが設けられており、図２０の例と同様に、操作部６２ｂを操作して係止部材６２を回動させ、係止部６２ｃの凹凸をノブ部５７ａの凹凸に入れることにより、ノブ５７の回転を防ぐことができる。
【００３１】
次に、本実施の形態における変形例について説明する。
【００３２】
（変形例１）
図２２及び図２３に示す本実施の形態の変形例１は、シートホルダ５１及びシートホルダ５２に、連結シャフト５３平行に延びる位置決め用の板部５１ｅ及び５２ｅが設けられている。シートホルダ５１には板部５１ｅが２つ設けられ、各々の板部の端部５１ｆには、他方の板部５１ｅが設けられている方向に向かって凸となるかえし５１ｇが設けられている。また、シートホルダ５２の板部５２ｅは、２つの板部５１ｅの間に入れられている。板部５２ｅの端部５２ｆには、両側の板部５１ｅの側に広がる幅広部５２ｇが設けられている。図２２はシートホルダ５１とシートホルダ５２との間が広がった状態を示し、かえし５１ｇと幅広部５２ｇとが接触している。図２３はシートホルダ５１とシートホルダ５２との間が狭くなった状態を示し、端部５１ｆがホルダ５２ａと接触し、端部５２ｆがホルダ５１ａと接触している。
【００３３】
板部５１ｅ及び５２ｅを設けることにより、シートホルダ５１とシートホルダ５２との間隔が開いている状態で、記録紙がシートホルダ５１、５２から落下することを防ぐことができる。
【００３４】
（変形例２）
図２４に示す変形例では、連結シャフト５３の回転軸方向にホルダ５１ａ及びホルダ５２ａの幅を広くしている。シートホルダ５１とシートホルダ５２とを近づけたときには、図２４に示すようにシートホルダ５１とシートホルダ５２とが接触する。この場合も、シートホルダ５１とシートホルダ５２との間を広げることにより、幅の広い記録紙に対応することが可能である。図２４に示されるように、シートホルダ５１とシートホルダ５２とを接触させた状態では、幅の狭い記録紙に対応することができる。この変形例では、用紙ガイド部材の内側が接触する最小幅位置においても、突起が連結シャフトのらせん溝の下死点に到達しない。
【００３５】
（変形例３）
図２５及び図２６に示す変形例は、プリンタ装置で使用される記録紙の最大および最小幅に応じて、連結シャフト５３の溝５３ａ、５３ｂの長さによりシートホルダの移動幅を設定可能とするものである。
【００３６】
図２５に示す状態では、シートホルダ５１の突起５１ｄは溝５３ａの外側の端と接触し、シートホルダ５１はそれ以上外側には動くことができない。シートホルダ５２の突起５２ｄも溝５３ｂの外側の端と接触し、シートホルダ５２はそれ以上外側には動くことができない。
【００３７】
一方、図２６に示す状態では、突起５１ｄは溝５３ａの内側の端と接触し、シートホルダ５１はそれ以上内側には動くことができない。突起５２ｄも溝５３ｂの内側の端と接触し、シートホルダ５２はそれ以上内側には動くことができない。
【００３８】
（変形例４）
図２７及び図２８に示す変形例では、シートホルダ５１及びシートホルダ５２に、連結シャフト５３と平行に延びる複数の位置決め用の板部５１ｈ及び５２ｈが設けられている。シートホルダ５１の板部５１ｈとシートホルダ５２の板部５２ｈとは互い違いに設けられている。幅の広い記録紙に対応する場合には、図２７に示すように、シートホルダ５１とシートホルダ５２との間を広げる。また、シートホルダ５１とシートホルダ５２との間を狭めた場合には、図２８に示すように、板部５１ｈの端部５１ｉとホルダ５２ａとを接触させ、板部５２ｈの端部５２ｉとホルダ５１ａとを接触させる。
【００３９】
このように、シートホルダ５１、５２の移動幅は溝５３ａ、５３ｂの長さに依存する。連結シャフトに形成する溝の長さを変えることで、プリンタ装置での使用が想定されている記録紙の幅に適したシートホルダを設けることが可能となる。
【００４０】
（変形例５）
図２９及び図３０に示す変形例では、シートホルダ５２の突起５２ｍにバネ性を持たせている。図２９は連結シャフト５３が入れられる部分のシートホルダ５２の断面図であり、図３０は２９Ａ−２９Ｂで切断し連結シャフト５３を取り除いた状態の断面図である。この変形例では、貫通孔５２ｃの壁面の一部が梁状に形成されたバネ部５２ｊとなっており、バネ部５２ｊの外側に突起５２ｍが設けられている。バネ部５２ｊは、貫通孔５２ｃの壁面に溝５２ｋを形成することにより形成され、溝５２ｋに囲まれた領域がバネ部５２ｊとなる。バネ部５２ｊを形成することにより、図２５及び図２６に示すように端部５３ｆにらせん溝が形成されていない連結シャフト５３を用いる場合でも、連結シャフト５３を貫通孔５２ｃに入れやすくなる。らせん溝が形成されていない連結シャフト５３を貫通孔５２ｃに入れる場合、端部５３ｆが貫通孔５２ｃの突起５２ｄとぶつかるため、容易に入れることができない。しかし、突起５２ｍにバネ部５２ｊを形成することにより、連結シャフト５３を貫通孔５２ｃに入れる際に端部５３ｆにより突起５２ｍが押され、バネ部５２ｊが撓み変形し、連結シャフト５３を貫通孔５２ｃに入れやすくなる。尚、シートホルダ５１についても同様である。
【００４１】
（変形例６）
貫通孔５２ｃには複数の突起を設けてもよい。図３１に示す変形例では、貫通孔５２ｃに突起５２ｄと、突起５２ｄよりも内側に突起５２ｎを設けている。このように貫通孔５２ｃに複数の突起を設けることにより、連結シャフト５３に対してシートホルダ５１やシートホルダ５２が傾くことを抑制できる。尚、突起５２ｄと突起５２ｎとの間隔は、溝のピッチと同じになるように構成されている。
【００４２】
（変形例７）
図３３に示す連結シャフト５３では、側面が傾斜したらせん状の溝５３ｍ、５３ｎが設けられている。図３２に示す連結シャフト５３は金属の棒を切削加工して形成されるが、図３３に示すように溝５３ｍ、５３ｎの側面を傾斜させることにより、金型を用いて樹脂材料により連結シャフト５３を形成することが可能となる。
【００４３】
図３４及び図３５は、比較例の連結シャフトの断面を示す。比較例の連結シャフト５３では、溝５３ａ及び５３ｂは矩形状に形成されている。図３４に示すように、連結シャフト５３の回転軸で切断した断面では、側面５３ｈは底面５３ｇに対し略垂直に形成されている。一方、図３５に示す連結シャフト５３を回転軸よりずれた面で切断した断面では、側面５３ｈと底面５３ｇとのなす角が鋭角となる。このため、矩形状の溝を有する連結シャフトを、金型を用いて樹脂材料等により作製することは極めて困難である。
【００４４】
一方、図３３、図３６及び図３７では、溝５３ｍ、５３ｎの底面と側面とのなす角が鈍角となるように溝を形成する。底面５３ｏと側面５３ｐとのなす角が鈍角となるような溝５３ｍ、５３ｎを形成することにより、連結シャフト５３を樹脂成型により容易に形成することができる。
【００４５】
〔第２の実施の形態〕
第２の実施の形態について説明する。本実施の形態は、図３８〜図３９に示すように、２つのシートホルダ１５１及び１５２を２本の連結シャフト１５３、１５４により接続した構造のものである。シートホルダ１５１及び１５２の各々は、記録紙を支持するホルダ１５１ａ及び１５２ａと、ガイド１５１ｂ及び１５２ｂを備える。尚、図３８は、本実施の形態の斜視図であり、図３９は側面図である。
【００４６】
連結シャフト１５３の側面には溝１５３ａ、１５３ｂが形成されており、溝１５３ａの巻き方向と溝１５３ｂの巻き方向は逆方向である。連結シャフト１５４の側面には、溝１５４ａ、１５４ｂが形成されており、溝１５４ａの巻き方向と溝１５４ｂの巻き方向は逆方向である。
【００４７】
尚、溝１５３ａの巻き方向と溝１５４ａの巻き方向とは同じ方向であり、溝１５３ｂの巻き方向と溝１５４ｂの巻き方向とは同じ方向である。よって、連結シャフト１５３及び１５４をともに同じ方向に回転させることにより、ホルダ１５１ａとホルダ１５２ａとの間を変更することができる。連結シャフト１５３及び１５４を２本設けることにより、連結シャフトに対するシートホルダ１５１及び１５２の傾き、ぐらつきを抑制することができる。
【００４８】
図４０に示すように、シートホルダ１５１、シートホルダ１５２、連結シャフト１５３及び連結シャフト１５４は本体１０に設置される。図４０では、本体１０の一部は透過している。本体１０の底板１１１には、連結シャフト１５３を支持する支持部１１２と、連結シャフト１５４を支持する支持部１１３が設けられている。支持部１１２は、連結シャフト１５３の端部の形状に対応した形状の開口部を有し、開口部に連結シャフト１５３の端部が回転可能に支持されている。支持部１１３は、連結シャフト１５４の端部の形状に対応した形状の開口部を有しており、この開口部に連結シャフト１５４の端部が回転可能に支持されている。
【００４９】
連結シャフト１５３及び１５４を回転させるか、シートホルダ１５１やシートホルダ１５２を連結シャフト１５３及び１５４の回転軸方向に動かすことにより、図４０に示すようにシートホルダ１５１とシートホルダ１５２との間を広げ、また、シートホルダ１５１とシートホルダ１５２との間を狭くすることができる。
【００５０】
（変形例）
図４１に示す変形例では、連結シャフト１５５と連結シャフト１５３とに形成されたらせん溝の巻き方向が反対となっている。
【００５１】
本変形例では、連結シャフト１５３の溝１５３ａの巻き方向と連結シャフト１５５の溝１５５ａの巻き方向とは逆方向であり、連結シャフト１５３の溝１５３ｂの巻き方向と連結シャフト１５５の溝１５５ｂの巻き方向とは逆方向である。よって、連結シャフト１５３と連結シャフト１５４を互いに逆方向に回転させることにより、ホルダ１５１ａとホルダ１５２ａとの間を広げたり狭くしたりすることができる。図３８に示すように連結シャフトを同じ方向に回転させる場合には、ホルダ１５１ａとホルダ１５２ａとの間を広げたり狭くしたりすると、連結シャフトの回転に伴い動いてしまう場合があるが、本変形例は、連結シャフト１５３と連結シャフト１５４を互いに逆方向に回転させるものであるため、動きが打ち消しあい、ホルダ１５１ａとホルダ１５２ａとの間を広げたり狭くしたりすることが安定的となる。
【００５２】
尚、上記以外の内容については、第１の実施の形態と同様である。
【００５３】
〔第３の実施の形態〕
次に、第３の実施の形態について説明する。本実施の形態はノブ５７の回転を防ぐストッパを設けた構造のものである。
【００５４】
図４２に示すように、蓋２０の内側には、ノブ部５７ａの周囲に設けられた凹凸に対応した形状の凹凸が形成された係止部２２１が設けられている。蓋２０を閉じることにより、ノブ部５７ａの凹凸に係止部２２１の凹凸が入り込み、ノブ５７の回転を防ぐことができる。図４２において、破線は蓋２０が開いている状態を示す。
【００５５】
図４３に示す変形例では、蓋２０の内側にギア部５７ｂの歯に対応した形状の凹凸を有する係止部２２２が設けられている。蓋２０を閉じることにより、ギア部５７ｂの歯に係止部２２２の凹凸が入り込み、ノブ５７の回転を防ぐ。図４３において、破線は蓋２０が開いている状態を示す。
【００５６】
図４４に示す変形例は、図２１に示す保持板５４に設けられている係止部材６２を、蓋２０の開閉と連動して回動するものである。蓋２０の内側には、蓋２０と操作部６２ｂとを接続する接続部６２ｄが設けられている。蓋２０を閉じることにより、接続部６２ｄにより操作部６２ｂが押され、回動軸６２ａを中心に図示時計回りに係止部材６２が回動してノブ部５７ａの凹凸に係止部６２ｃの凹凸が入り込み、ノブ５７の回転を防ぐ。
【００５７】
〔第４の実施の形態〕
第４の実施の形態について説明する。本実施の形態は、図４５及び図４６に示すように、本体１０の内部のシートホルダ５１及び５２と対向する面３１１に、複数の位置決め用の溝３１２、３１３を設け、シートホルダ５１及び５２には、溝３１２、３１３に対応する凸状の突起部３５１、３５２が設けられている。
【００５８】
溝３１２、３１３は記録紙の幅に対応した位置にあり、各々の溝３１２、３１３にシートホルダ５１及び５２の突起部３５１、３５２を入れることにより、シートホルダ５１及び５２の位置を記録紙の幅に対応させることができる。
【００５９】
本実施の形態は、本体１０の内側のシートホルダ５１及び５２と対向する面に、溝３１２、３１３が設けられた図４７に示すガイド板３１４を貼り付けた構造のものであってもよい。
【００６０】
図４８に示す例では、溝３１２、３１３が設けられている面３１５と、その両端から伸びる支持板部３１６とを有し、支持板部３１６の端部に、連結シャフト５３の両端部を支持する支持穴３１７が各々設けられているガイド部材３１８を有する。この場合、図４９に示すように、連結シャフト５３の両端は支持穴３１７に回転可能に支持されている。連結シャフト５３を回転させることにより、シートホルダ５１とシートホルダ５２との間の幅を広げたり、狭くしたりできる。
【００６１】
以上、本発明の実施に係る形態について説明したが、上記内容は、発明の内容を限定するものではない。
【符号の説明】
【００６２】
１０        本体
２０        蓋
３０        印刷ヘッド
４０        プラテンローラ
５１、５２        シートホルダ
５１ａ、５２ａ    ホルダ
５１ｂ、５２ｂ    ガイド
５１ｃ、５２ｃ    貫通孔
５１ｄ、５２ｄ    突起
５３        連結シャフト
５３ａ、５３ｂ    溝
５３ｃ、５３ｄ    端部
５４        保持板
５５        ギア
５６        中間ギア
５７        ノブ
５７ａ      ノブ部
５７ｂ      ギア部
６１        係止部材
６１ｂ      操作部
６１ｃ      係止部
１００      記録紙
【図１】
2020164296.tif 000003
【図２】
2020164296.tif 000004
【図３】
2020164296.tif 000005
【図４】
2020164296.tif 000006
【図５】
2020164296.tif 000007
【図６】
2020164296.tif 000008
【図７】
2020164296.tif 000009
【図８】
2020164296.tif 000010
【図９】
2020164296.tif 000011
【図１０】
2020164296.tif 000012
【図１１】
2020164296.tif 000013
【図１２】
2020164296.tif 000014
【図１３】
2020164296.tif 000015
【図１４】
2020164296.tif 000016
【図１５】
2020164296.tif 000017
【図１６】
2020164296.tif 000018
【図１７】
2020164296.tif 000019
【図１８】
2020164296.tif 000020
【図１９】
2020164296.tif 000021
【図２０】
2020164296.tif 000022
【図２１】
2020164296.tif 000023
【図２２】
2020164296.tif 000024
【図２３】
2020164296.tif 000025
【図２４】
2020164296.tif 000026
【図２５】
2020164296.tif 000027
【図２６】
2020164296.tif 000028
【図２７】
2020164296.tif 000029
【図２８】
2020164296.tif 000030
【図２９】
2020164296.tif 000031
【図３０】
2020164296.tif 000032
【図３１】
2020164296.tif 000033
【図３２】
2020164296.tif 000034
【図３３】
2020164296.tif 000035
【図３４】
2020164296.tif 000036
【図３５】
2020164296.tif 000037
【図３６】
2020164296.tif 000038
【図３７】
2020164296.tif 000039
【図３８】
2020164296.tif 000040
【図３９】
2020164296.tif 000041
【図４０】
2020164296.tif 000042
【図４１】
2020164296.tif 000043
【図４２】
2020164296.tif 000044
【図４３】
2020164296.tif 000045
【図４４】
2020164296.tif 000046
【図４５】
2020164296.tif 000047
【図４６】
2020164296.tif 000048
【図４７】
2020164296.tif 000049
【図４８】
2020164296.tif 000050
【図４９】
2020164296.tif 000051